(57)【特許請求の範囲】
【請求項１】
地上波ディジタル放送を受信する地上波ディジタル放送受信装置において、規定に従ってチャンネルに周波数が割り当てられた物理チャンネルナンバーで選局する第１のモードと受信装置側でチャンネルに周波数を対応させた仮想チャンネルナンバーで選局する第２のモードのいずれかを基本とし、入力されたチャンネルナンバーに基づき第１のモードによる選局で有効送信信号が検出されない場合には、入力されたチャンネルナンバーを仮想チャンネルナンバーとみなして選局を試みる一方、入力されたチャンネルナンバーに基づき第２のモードによる選局において選局のための情報が保持されていないときには入力されたチャンネルナンバーを物理チャンネルナンバーとみなして選局を試みるように構成したことを特徴とする地上波ディジタル放送受信装置。
【発明の詳細な説明】
【０００１】
【産業上の利用分野】
この発明は、地上波ディジタル放送を受信する地上波ディジタル放送受信装置に関する。
【０００２】
【従来の技術】
地上波ディジタル放送は、海外においては既に開始されており、日本においては２００３年から放送を開始する予定となっている。ところで、地上波ディジタル放送におけるダイレクト選局（ＥＰＧを用いずに、リモコン送信機の数字キーを押して選局すること）においては、規定に従ってチャンネルに周波数が割り当てられた物理チャンネルナンバー（例えば、第１チャンネルは９０〜９６ＭＨｚなどのごとく決められている）と受信装置側でチャンネルに周波数を対応させた仮想チャンネルナンバー（例えば、有局チャンネルサーチによりチャンネル設定された場合など）とのいずれかによって選局が行われることになる。
【０００３】
【発明が解決しようとする課題】
上述した物理チャンネルナンバーと仮想チャンネルナンバーとは必ずしも一致しないため、現在のアナログ放送に慣れたユーザーが地上波ディジタル放送においてダイレクト選局を行うときに、物理チャンネルナンバーと仮想チャンネルナンバーのいずれで選局すればよいのか分かりづらく、また、新しくチャンネルが追加されたときに混乱することも予想される。
【０００４】
この発明は、上記の事情に鑑み、物理チャンネルナンバーと仮想チャンネルナンバーとの違いをユーザーが意識せずに選局が行える地上波ディジタル放送受信装置を提供することを目的とする。
【０００５】
【課題を解決するための手段】
この発明の地上波ディジタル放送受信装置は、上記の課題を解決するために、地上波ディジタル放送を受信する地上波ディジタル放送受信装置において、規定に従ってチャンネルに周波数が割り当てられた物理チャンネルナンバーで選局する第１のモードと受信装置側でチャンネルに周波数を対応させた仮想チャンネルナンバーで選局する第２のモードのいずれかを基本とし、入力されたチャンネルナンバーに基づき第１のモードによる選局で有効送信信号が検出されない場合には、入力されたチャンネルナンバーを仮想チャンネルナンバーとみなして選局を試みる一方、入力されたチャンネルナンバーに基づき第２のモードによる選局において選局のための情報が保持されていないときには入力されたチャンネルナンバーを物理チャンネルナンバーとみなして選局を試みるように構成したことを特徴とする。
【０００６】
上記の構成であれば、ユーザーは物理チャンネルナンバーと仮想チャンネルナンバーの各々に対応した二つのモードのいずれかによって選局を行うことになるが、いずれのモードを選択したとしても、そのモードにおいて入力されたチャンネルナンバーで選局が行えなければ、もう一方のモードに対応した選局を自動的に試みる制御がなされるので、ユーザーは物理チャンネルナンバーと仮想チャンネルナンバーとの違いを意識せずに選局が行えることになる。
【０００７】
【発明の実施の形態】
以下、この発明の実施形態の地上波ディジタル放送受信装置を図１乃至図４に基づいて説明する。
【０００８】
図１は地上波ディジタル放送を視聴できるこの実施形態の放送受信装置３０を示したブロック図であり、図２はリモコン送信機の外観を示した平面図であり、図３及び図４はそれぞれダイレクト選局時の処理内容を示したフローチャートである。
【０００９】
図１において、地上波アンテナ１は、地上放送波を受信し、受信信号を地上波ディジタルチューナ２に与える。この地上波ディジタルチューナ２は、選局処理回路やミキサ（混合器）などを備える。ミキサは希望チャンネルの信号と局部発振信号とを混合して中間周波数信号を生成する。局部発振信号を生成する回路は、例えば印加電圧によって容量が変化する可変容量ダイオード等を備えて成り、ミキサから一定の中間周波数の信号が出力されるように、希望チャンネルの信号に対応させて可変した局部発振信号を生成する。選局処理回路は、各チャンネルに対応した印加電圧（同調電圧）のデータをメモリ（例えば、ＥＥＰＲＯＭ）１１から受け取り、図示しないＤ／Ａ変換器によって上記データをアナログ信号化（電圧化）して可変容量ダイオードに与える。そして、この地上波ディジタルチューナ２は、上述した選局処理により、映像・音声データを含む高周波ディジタル変調信号のうちから特定周波数の信号を取り出すことになる。また、地上波ディジタルチューナ２は、逆インタリーブ回路、誤り訂正回路、復調回路などを備えることにより、選択したディジタル変調信号を復調してトランスポート・ストリームを出力する。
【００１０】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩ／ＳＩをＣＰＵ１２に供給する。なお、トランスポート・ストリームには複数のチャンネルを多重化することが可能であり、このなかから任意のチャンネルを選択するための処理は、前記ＰＳＩ中のＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＣＡＴ（Ｃｏｎｄｉｔｉｏｎａｌ  Ａｃｃｅｓｓ  Ｔａｂｌｅ）から任意のチャンネルがトランスポート・ストリーム中でどのパケットＩＤで多重化されているかといったデータを取り出すことで可能となる。また、ＳＩ（サービス情報）には、番組情報（番組内容、番組開始時刻、番組継続時間、ジャンル情報等）が含まれており、かかる情報に基づいてＥＰＧ画面が構成される。
【００１１】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１２】
映像処理回路５はＡＶデコーダ４から映像データを受け取り、Ｄ／Ａ変換を行って映像信号を生成する。音声処理回路６はＡＶデコーダ４から出力された音声データを受け取り、Ｄ／Ａ変換を行ってアナログ音声信号を生成する。
【００１３】
ＯＳＤ（オンスクリーンディスプレイ）回路１２は、ＣＰＵ１２から出力指示された文字情報に対応する映像信号を加算器２０に出力する。加算器２０は前記ＯＳＤ回路１２からの映像信号を受信映像信号に組み込み、この映像信号を映像出力回路７に供給する。
【００１４】
映像出力回路７及び音声出力回路８は出力抵抗や増幅器等を備えて成る。ＡＶ出力端子９には出力部（左右音声出力端子等や映像出力端子等のセット）が設けられている。この出力部には、映像／音声コード１７によって受像管１６ａ及びスピーカ１６ｂを備えるモニタ１６が接続される。
【００１５】
リモコン送信機１０は、当該放送受信装置３０に指令を送出するための送信機であり、その外観は、例えば、図２に示すようである。このリモコン送信機１５に設けられたキーを操作すると、そのキーに対応した指令を意味する信号光（リモコン信号）が図示しない発光部から送出される。リモコン受光器１１は、前記信号光を受光し、これを電気信号に変換してサブＣＰＵ１５に与え、このサブＣＰＵ１５を介してＣＰＵ１３に操作キー情報が与えられる。
【００１６】
ＣＰＵ１３は、地上波ディジタルチューナ２に対する選局や有局チャンネルサーチ等の制御、メモリ１４への有局チャンネル情報、番組情報などの書込／読出の制御、デマルチプレクサ３に対する制御、ＡＶデコーダ４に対する制御、ＯＳＤ回路１２に対する制御などを行うようになっている。この各種の処理の中で本発明に係るダイレクト選局処理を以下に説明していく。ダイレクト選局とは、ＥＰＧを用いずに、ユーザーがリモコン送信機１０の数字キーを直接操作してチャンネルを選択することをいう。ここで、地上波ディジタル放送においては、規定に従ってチャンネルに周波数が割り当てられた物理チャンネルナンバー（例えば、第１チャンネルは９０〜９６ＭＨｚ）と受信装置側でチャンネルに周波数を対応させた仮想チャンネルナンバー（例えば、有局チャンネルサーチにより設定される）とを持っている。上記ダイレクト選局においては、物理チャンネルナンバーで選局するのか又は仮想チャンネルナンバーで選局するのかをユーザーに選択させておく。この選択は、例えば、メニュー画面に選択項目を表示させてユーザーに選択させてもよいし、リモコン送信機１０に物理／仮想切り換えキーを設けておいてもよい。
【００１７】
図３はユーザーによって物理チャンネルナンバーで選局するとの選択がなされた場合のフローチャートであり、図４はユーザーによって仮想チャンネルナンバーで選局するとの選択がなされた場合のフローチャートである。
【００１８】
図３の処理においては、入力された物理チャンネルナンバーに対応する周波数で選局処理を行うことになる（ステップＳ１）。そして、この選局処理によって有効送信信号が確認されれば、ダイレクトチャンネル選局は終了することになるが（ステップＳ６）、有効送信信号が確認されなければ、入力されたチャンネルナンバーを仮想チャンネルナンバーとみなし、メモリ１４に記憶されている有局チャンネル情報の仮想チャンネルナンバーを参照する（ステップＳ３）。そして、チャンネルナンバーの有無を判定し（ステップＳ４）、チャンネルナンバーが有れば、仮想チャンネルナンバーに対応する周波数にて選局処理を行い（ステップＳ７）、ダイレクトチャンネル選局は終了する（ステップＳ６）。一方、なければ、”入力されたチャンネルナンバーに対応する放送は有りません”と画面表示し（ステップＳ５）、ダイレクトチャンネル選局は終了することになる（ステップＳ６）。
【００１９】
同図４の処理においては、入力された仮想チャンネルナンバーが有局チャンネル情報の仮想チャンネルナンバーとしてメモリ１４に記憶されているかを検索する（ステップＳ１１）。そして、仮想チャンネルナンバーの有局情報が存在すれば、この仮想チャンネルナンバーに対応する周波数で選局を行い（ステップＳ１７）、ダイレクトチャンネル選局は終了することになるが（ステップＳ１６）、仮想チャンネルナンバーの情報がなければ、入力されたチャンネルナンバーを物理チャンネルナンバーとみなし、その物理チャンネルナンバーに対応する周波数で選局処理を行う（ステップＳ１３）。そして、この選局処理によって有効送信信号が確認されれば、ダイレクトチャンネル選局は終了する（ステップＳ１６）。一方、有効送信信号が確認されなければ、”入力されたチャンネルナンバーに対応する放送は有りません”と画面表示し（ステップＳ１５）、ダイレクトチャンネル選局は終了することになる（ステップＳ１６）。
【００２０】
ここで、以下の想定条件の下での具体的な処理内容を説明していく。
▲１▼有局チャンネルサーチにより、物理チャンネル１３の周波数に対応して仮想チャンネル３６の有局チャンネル情報が記憶されているとする。
▲２▼物理チャンネル３６には有効送信信号はない。
▲３▼物理チャンネル２０には有効送信信号は有るが有局チャンネル情報は記憶されていない。
▲４▼物理チャンネル３０には有効送信信号はなく、仮想チャンネル３０は有局チャンネル情報に記憶されていない。
▲５▼リモコン送信機１０のキー(DIRECT MODE) を押すことによりトグルで物理チャンネルナンバー選局と仮想チャンネルナンバー選局が切り替わる。
▲６▼現在（イニシャル）のダイレクト選局モードは物理チャンネルナンバー選局であるとする。
【００２１】
イ．リモコンの”１”キーを押し、続いて”３”キーを押した場合
サブＣＰＵ１５はＣＰＵ１３に”１”と”３”が押されたことを知らせる。ＣＰＵ１３は、チューナ２に対して物理チャンネル１３に対応する周波数で選局動作をするよう制御する。チューナ２は選局動作の後、有効送信信号が存在することをＣＰＵ１３に伝える。これにより、選局処理は終了する。
【００２２】
ロ．リモコンの”３”キーを押し、続いて”６”キーを押した場合
サブＣＰＵ１５はＣＰＵ１３に”３”と”６”が押されたことを知らせる。ＣＰＵ１３は、チューナ２に対して物理チャンネル３６に対応する周波数で選局動作をするよう制御する。チューナ２は選局動作の後、有効送信信号が存在しないことをＣＰＵ１３に伝える。ＣＰＵ１３は、チャンネル３６を仮想チャンネルナンバーとみなし、メモリ１４に記憶されている有局チャンネル情報を参照して仮想チャンネル３６が存在することを確認し、その情報に基づいて物理チャンネル１３に対応する周波数で選局するようチューナ２を制御する。これにより、選局処理は終了する。
【００２３】
ハ．リモコンの”２”キーを押し、続いて”０”キーを押した場合
サブＣＰＵ１５はＣＰＵ１３に”２”と”０”が押されたことを知らせる。ＣＰＵ１３は、チューナ２に対して物理チャンネル２０に対応する周波数で選局動作をするよう制御する。チューナ２は選局動作の後、有効送信信号が存在することをＣＰＵ１３に伝える。これにより、選局処理は終了する。また、ＣＰＵ１３はメモリ１４に格納されている有局チャンネル情報に物理チャンネル２０が有局であることを追加する。このような追加は、受信装置購入後のチャンネルサーチ以降に、新たに物理チャンネル２０において放送局が開局したような場合に生じることになる。
【００２４】
ニ．リモコンの”３”キーを押し、続いて”０”キーを押した場合
サブＣＰＵ１５はＣＰＵ１３に”３”と”０”が押されたことを知らせる。ＣＰＵ１３は、チューナ２に対して物理チャンネル３０に対応する周波数で選局動作をするよう制御する。チューナ２は選局動作の後、有効送信信号が存在しないことをＣＰＵ１３に伝える。ＣＰＵ１３はチャンネル３０を仮想チャンネルナンバーとみなし、メモリ１４に格納されている有局チャンネル情報に基づいて仮想チャンネル３０の有無を確認するが、仮想チャンネル３０は存在しないため、ＯＳＤ回路１２を用い、”入力されたチャンネルナンバーに対応する放送は有りません”と画面表示する。これにより、選局処理は終了する。
【００２５】
ホ．リモコンのDIRECT MODE キーを押し、更に”３”キーを押し、続いて”６”キーを押した場合
サブＣＰＵ１５はＣＰＵ１３にDIRECT MODE キーと”３”と”６”が押されたことを知らせる。ＣＰＵ１３は、３６を仮想チャンネルナンバーとみなし、メモリ１４に格納されている有局チャンネル情報を参照して仮想チャンネル３６が存在することを確認し、その情報に基づいて物理チャンネル１３に対応する周波数で選局するようチューナ２を制御する。これにより、選局処理は終了する。
【００２６】
ホ．リモコンのDIRECT MODE キーを押し、更に”１”キーを押し、続いて”３”キーを押した場合
サブＣＰＵ１５はＣＰＵ１３にDIRECT MODE キーと”１”と”３”が押されたことを知らせる。ＣＰＵ１３は、１３を仮想チャンネルナンバーとみなし、メモリ１４に格納されている有局チャンネル情報を参照して仮想チャンネル１３が存在するかどうかを確認するが、仮想チャンネル１３は存在しないため、チャンネル１３を物理チャンネルとみなし、物理チャンネル１３に対応する周波数で選局するようチューナ２を制御する。これにより、選局処理は終了する。
【００２７】
ヘ．リモコンのDIRECT MODE キーを押し、更に”２”キーを押し、続いて”０”キーを押した場合
サブＣＰＵ１５はＣＰＵ１３にDIRECT MODE キーと”２”と”０”が押されたことを知らせる。ＣＰＵ１３は、２０を仮想チャンネルナンバーとみなし、メモリ１４に格納されている有局チャンネル情報を参照して仮想チャンネル２０が存在するかどうかを確認するが、仮想チャンネル２０は存在しないため、チャンネル２０を物理チャンネルとみなし、物理チャンネル２０に対応する周波数で選局するようチューナ２を制御する。また、ＣＰＵ１３はメモリ１４に格納されている有局チャンネル情報に物理チャンネル２０が有局であることを追加する。これにより、選局処理は終了する。
【００２８】
ト．リモコンのDIRECT MODE キーを押し、更に”３”キーを押し、続いて”０”キーを押した場合
サブＣＰＵ１５はＣＰＵ１３にDIRECT MODE キーと”３”と”０”が押されたことを知らせる。ＣＰＵ１３は、３０を仮想チャンネルナンバーとみなし、メモリ１４に格納されている有局チャンネル情報を参照して仮想チャンネル３０が存在するかどうかを確認するが、仮想チャンネル３０は存在しないため、チャンネル３０を物理チャンネルとみなし、物理チャンネル３０に対応する周波数で選局するようチューナ２を制御する。物理チャンネル３０には有効送信信号はなく、しかも仮想チャンネル３０は有局チャンネル情報にはないので、チューナ２は選局動作の後、有効送信信号がないことをＣＰＵ１３に伝える。ＣＰＵ１３は、ＯＳＤ回路１２を用い、”入力されたチャンネルナンバーに対応する放送は有りません”と画面表示する。これにより、選局処理は終了する。
【００２９】
【発明の効果】
以上説明したように、この発明によれば、基本とするモードにおいて入力されたチャンネルナンバーによって選局が行えなければ、もう一方のモードに対応した選局を自動的に試みる制御がなされるので、ユーザーは物理チャンネルナンバーと仮想チャンネルナンバーとの違いを意識せずに選局が行えるという効果を奏する。
【図面の簡単な説明】
【図１】この発明の実施形態の地上波ディジタル放送受信装置を示したブロック図である。
【図２】リモコン送信機の外観を示した平面図である。
【図３】物理チャンネルナンバーで選局を行うモード時におけるダイレクト選局処理を示したフローチャートである。
【図４】仮想チャンネルナンバーで選局を行うモード時におけるダイレクト選局処理を示したフローチャートである。
【符号の説明】
１    アンテナ
２    地上波ディジタルチューナ
３    デマルチプレクサ（ＤＥＭＵＸ）
４    ＡＶデコーダ
１３  ＣＰＵ
１４  メモリ
【図１】
0003754323.tif 000002
【図２】
0003754323.tif 000003
【図３】
0003754323.tif 000004
【図４】
0003754323.tif 000005